(57)【特許請求の範囲】
【請求項１】
要素部材を組み立てて構成した雨水貯留槽と当該雨水貯留槽から外部に雨水を流出させる流出管とを備える雨水貯留システムにおいて、
前記雨水貯留槽の底部にドレン管路を設けたことを特徴とする、雨水貯留システム。
【請求項２】
前記流出管は、前記要素部材に接続され、
前記ドレン管路は、前記雨水貯留槽を被覆する被覆部材に接続される、請求項１記載の雨水貯留システム。
【請求項３】
前記ドレン管路は、前記雨水貯留槽の下面に配置されるドレンユニットを備え、
前記ドレンユニットは、曲管と当該曲管を埋め込む硬化部とを含む、請求項１または２記載の雨水貯留システム。
【請求項４】
前記ドレンユニットの流入口に設けられる遮水部材をさらに備え、
前記遮水部材は、
前記被覆部材に融着接合される固定部、および
前記曲管に接続される接続部を含む、請求項３記載の雨水貯留システム。
【請求項５】
前記流出管からの雨水が流入する点検口、および
前記点検口から外部に雨水を流出させる外部流出管をさらに備え、
前記ドレン管路は、前記雨水貯留槽の底部と前記点検口とを連通する、請求項１ないし４のいずれかに記載の雨水貯留システム。
【請求項６】
雨水貯留槽の下面に配置されるドレンユニットであって、
曲管、および
前記曲管の両端が開口するように当該曲管を埋め込む硬化部を備えるドレンユニット。
【発明の詳細な説明】
【技術分野】
【０００１】
この発明は、雨水貯留システムおよびドレンユニットに関し、特にたとえば、地下に設置した雨水貯留槽に雨水を集め、集水した雨水を一時的に貯留した後、雨水管渠や河川に排出する、あるいはそのまま、周辺の地中に緩やかに浸透させる、雨水貯留システムおよびドレンユニットに関する。
【背景技術】
【０００２】
この種の雨水貯留システムに用いられ得る雨水貯留槽が、特許文献１などで公知である。特許文献１には、プラスチック製部材によって形成される貯留タンクに雨水を貯留して、その雨水を貯留タンクの側面に接続された雨水排水路から外部へ排出する雨水貯留システムが開示されている。また、この貯留タンクの下方には、維持管理のための汚水ピットが設けられており、汚水ピットは、溝状に形成されて、雨水とともにタンク内に流入した土砂を集積する。
【特許文献１】特開２００６−３２２１４９号［Ｅ０３Ｆ  １／００］
【発明の開示】
【発明が解決しようとする課題】
【０００３】
しかしながら、特許文献１の技術では、貯留タンクの下方に汚水ピットが設けられる。このため、貯留タンクを埋設するために地面を掘削するのに加えて、別途、汚水ピットのためにも地面を広範囲に亘って掘削しなければならず、施工に手間とコストがかかる。
【０００４】
一方、これを回避するために、土砂を集積するための溝状部材を雨水貯留槽の内部に設けることが考えられる（図１参照）。しかしながら、この場合には、溝状部材の位置が雨水貯留槽の下方ではないため、水位が雨水排水路の管底以下の雨水を雨水排水路から外部へ排出することができず、一定量の雨水が雨水貯留槽の内部に残留してしまう。このため、その残留している雨水の体積分だけ、新たな雨水を雨水貯留槽の内部に流入させることができなくなり、本来の貯留空間を完全に活用することができない。
【０００５】
それゆえに、この発明の主たる目的は、新規な、雨水貯留システムおよびドレンユニットを提供することである。
【０００６】
この発明の他の目的は、可及的簡易な施工によって、雨水貯留槽内の雨水を全て流出させることができる、雨水貯留システムおよびドレンユニットを提供することである。
【課題を解決するための手段】
【０００７】
本発明は、上記の課題を解決するために、以下の構成を採用した。なお、括弧内の参照符号および補足説明などは、本発明の理解を助けるために後述する実施の形態との対応関係を示したものであって、本発明を何ら限定するものではない。
【０００８】
第１の発明は、要素部材を組み立てて構成した雨水貯留槽と当該雨水貯留槽から外部に雨水を流出させる外部流出管とを備える雨水貯留システムにおいて、雨水貯留槽の底部にドレン管路を設けたことを特徴とする、雨水貯留システムである。
【０００９】
第１の発明では、要素部材、実施例で例示すれば、槽本体（３６）、天板（４４）、側板（４６）などを用いて、雨水貯留槽（１２）を構成し、その雨水貯留槽の流出側に、たとえば雨水貯留槽から外部に雨水を流出させる流出管（２８）が取り付けられる。また、雨水貯留槽の底部（６２）には、ドレン管路（６４）が設けられる。このような雨水貯留システム（１０）では、雨水貯留槽に貯留された雨水は、流出管を介して外部に流出するとともに、雨水貯留槽の底部に設けられたドレン管路を介して外部に流出する。
【００１０】
第１の発明によれば、流出管の管底よりも低い水位であって流出管から流出することができなかった雨水貯留槽内の雨水も、雨水貯留槽の底部からドレン管路を介して外部に流出させることができる。したがって、雨水貯留槽内の雨水を全て流出させることができる。また、ドレン管路は、広範囲に亘る必要がないため、施工にも手間がかからない。
【００１１】
第２の発明は、第１の発明に従属し、流出管は、要素部材に接続され、ドレン管路は、雨水貯留槽を被覆する被覆部材に接続される。
【００１２】
第２の発明では、流出管（２８）は、雨水貯留槽（１２）を構成する要素部材に接続される。実施例では、流出管は、雨水貯留槽の側面に嵌め込まれる管接続板（５０）に取り付けられる。また、ドレン管路（６４）は、雨水貯留槽を被覆する被覆部材、実施例で例示すれば、第１保護シート（５６）と第２保護シート（５８）とにサンドイッチにされた遮水シート（６０）に接続される。
【００１３】
第２の発明によれば、雨水貯留槽内の雨水だけでなく、雨水貯留槽の外部の雨水も、被覆部材の内側の雨水であればドレン管路に流入させて、外部に流出させることができる。また、ドレン管路の施工と雨水貯留槽の組み立てとを独立して行うことができるため、雨水貯留システムを設ける際の工程に制約が少ない。
【００１４】
第３の発明は、第１または２の発明に従属し、ドレン管路は、雨水貯留槽の下面に配置されるドレンユニットを備え、ドレンユニットは、曲管と当該曲管を埋め込む硬化部とを含む。
【００１５】
第３の発明では、ドレン管路（６４）は、雨水貯留槽（１２）の下面（６２）に配置されるドレンユニット（６６）を備える。ドレンユニットは、雨水の流路となる曲管（７０）と当該曲管を埋め込む硬化部（７２）とを含む。実施例では、硬化部は、セメントペースト、レジコン，モルタルおよびコンクリート等のセメントを含む硬化物であり、ドレンユニットは、たとえば曲管を埋め込んだ硬化部の形状を型枠（７４）によって定着させることによって形成される。
【００１６】
第３の発明によれば、また、雨水の流路となる曲管を硬化部に埋め込むことによって、土被りや雨水貯留槽の荷重による管の破損、およびそれに起因する漏水を回避することができる。
【００１７】
第４の発明は、第３の発明に従属し、ドレンユニットの流入口に設けられる遮水部材をさらに備え、遮水部材は、被覆部材に融着接合される固定部、および曲管に接続される接続部を含む。
【００１８】
第４の発明では、ドレンユニット（６６）の流入口（８２）には、遮水部材（１０８，１２６）が設けられる。遮水部材は、固定部（１１０，１２８）を含む。実施例では、固定部は、矩形状に形成されて、被覆部材である遮水シート（６０）に融着接合される。また、固定部には、たとえば下方向に突出する接続部（１１４，１３２）が形成される。実施例では、接続部は、雨水貯留槽（１２）の下面（６２）からドレンユニットの流入口に雨水を流入させるための孔（１１２，１２８）を囲む円筒状に形成されて、曲管（７０）に接続される。
【００１９】
第４の発明によれば、遮水部材を被覆部材に融着接合するとともにドレンユニットに接続することによって、ドレンユニットの形状に合わせたシート加工をしなくても、雨水貯留槽からの雨水を漏れなくドレンユニットの流入口に流入させることができる。
【００２０】
第５の発明は、第１ないし第４のいずれかの発明に従属し、流出管からの雨水が流入する点検口、および点検口から外部に雨水を流出させる外部流出管をさらに備え、ドレン管路は、雨水貯留槽の底部と点検口とを連通する。
【００２１】
第５の発明では、雨水貯留槽（１２）の流出側に、流出管（２８）からの雨水が流入する点検口（２８）が設置される。また、点検口には、点検口から外部へ雨水を流出する外部流出管（３０）が取り付けられる。ドレン管路（６４）は、雨水貯留槽の底部（６２）に設けられ、たとえば雨水貯留槽の下流側端部の下面と点検口とを連通する。
【００２２】
第５の発明によれば、ドレン管路を、少なくとも雨水貯留槽の底部と流出施設の点検口とを連通するサイズに形成すればよいため、施工が容易である。また、土砂等によってドレン管路が閉塞しても、点検口からホース等によって吸引すれば土砂等を除去することができるため、維持管理が容易である。
【００２３】
第６の発明は、雨水貯留槽の下面に配置されるドレンユニットであって、曲管、および曲管の両端が開口するように当該曲管を埋め込む硬化部を備えるドレンユニットである。
【００２４】
第６の発明では、ドレンユニット（６６）は、雨水の流路となる曲管（７０）と当該曲管を埋め込む硬化部（７２）とを含み、雨水貯留槽（１２）の下面（６２）に配置される。曲管は、その両端が開口するように硬化部に埋め込まれており、実施例では、ドレンユニットの上面（６６ａ）に流入口（８２）が形成され、ドレンユニットの側面（６６ｂ）に流出口（８４）が形成される。
【発明の効果】
【００２５】
この発明によれば、ドレン管路が雨水貯留槽の底部に設けられるため、簡易な施工によって、雨水貯留槽内の雨水を全て流出させることができる。
【００２６】
この発明の上述の目的，その他の目的，特徴および利点は、図面を参照して行う以下の実施例の詳細な説明から一層明らかとなろう。
【発明を実施するための最良の形態】
【００２７】
図１にこの発明の背景となる雨水貯留システム１０の一例が図解される。この雨水貯留システム１０は、地中に埋設される雨水貯留槽１２を含み、当該雨水貯留槽１２に雨水を集め、集水した雨水を一時的に貯留した後、雨水管渠や河川に排出する、或いはそのまま、周辺の地中に緩やかに浸透させる。この雨水貯留槽１２は、図２―図４に示すプラスチック製の要素部材を組み合わせることによって、図５に示すような槽として構成したものである。以下、図７以降の図面を参照して後述するこの発明の理解に必要な範囲で、このようなプラスチック製の雨水貯留システム１０について説明する。
【００２８】
雨水貯留槽１２の一方側端近傍に流入施設１４が、他方側端近傍に流出施設１６が付設される。雨水が流入施設１４から雨水貯留槽１２を通り、流出施設１６から流れ出るので、流入施設１６側を上流側、流出施設１４側を下流側と呼ぶこともできる。
【００２９】
流入施設１４は、点検口１８を含み、この点検口１８は周知のように地中に埋設されるが、それの上端は地表に臨まされ、そこから人の出入りを可能にしている。点検口１８の上部には、たとえば道路脇の側溝や雨水暗渠などから集めた雨水を流し込む外部流入管２０が設けられ、その下部には、この雨水を雨水貯留槽１２に流し込む流入管２２が設けられる。また、流入管２２の流入入り口にはごみ除去フィルタ２４が装着されており、点検口２６内に雨水とともに流入した落ち葉などのごみは、雨水貯留槽１２内には入らない。
【００３０】
流出施設１６にも点検口２６が設置され、この点検口２６の下部には、雨水貯留槽１２からの雨水を点検口２６に流出させる流出管２８が取り付けられ、それよりさらに下方の点検口２６の下部には外部流出管３０が取り付けられる。外部流出管３０は、雨水貯留槽１２から点検口２６に流出させた雨水を雨水管渠や合流式下水道管（図示せず）に放流するためのものであるが、放流量が急増しないようにするための流量制限オリフィスを有する。外部流出管３０は、たとえばリブのない分岐継手部を有する枝付管などが用いられ、分岐継手部には、オーバフロー管３２が取り付けられる。このオーバフロー管３２は、雨水貯留・浸透槽１２をオーバフローした雨水を雨水管渠や合流式下水道管（図示せず）に放流する。また、点検口２６の上部と雨水貯留槽１２との間には、空気抜き管３４が設けられる。
【００３１】
ここで、図１に示す雨水貯留槽１２について、各要素部材の一例を示す図２―図４を参照して、詳細に説明する。
【００３２】
図２に示す要素部材は、槽本体３６であり、複数の槽本体３６を縦横方向に並べる或いは上下方向に積層することによって、雨水貯留槽１２の基礎形状が構成される。槽本体３６は、ポリプロプレンなどの合成樹脂からなり、射出成形によってたとえば中空状に形成される。また、槽本体３６には、上下方向に貫通する複数の小孔が形成される。これらの小孔は、雨水貯留槽１２を形成した際に、雨水貯留槽１２内での雨水の流れを容易にさせる。ただし、図面の簡素化のために、小孔の図示は省略する。
【００３３】
槽本体３６は、基礎板３８を備える。基礎板３８は、矩形の板状に形成され、たとえば、その縦方向および横方向の長さは、ともに５００ｍｍである。
【００３４】
基礎板３８の四隅には、基礎板３８から上方向に突出する嵌合部４０が形成される。嵌合部４０は、略四角柱状に形成され、その上下方向の長さはたとえば２８０ｍｍである。嵌合部４０の先端部は、段差状に形成されており、槽本体３６同士を縦方向に組み合わせる際に、対向するように配置した他の槽本体３６の嵌合部４０と嵌合する。
【００３５】
また、嵌合部４０の間には、基礎板３８から上方向に突出する把持部４２が形成される。把持部４２は、略直方体状に形成され、その上下方向の長さはたとえば２００ｍｍである。把持部４２には、たとえば、槽本体３６を持ち上げる際に作業者が把持しやすいように、直方体状の開口４２ａが形成されている。
【００３６】
図３に示す要素部材は、天板４４であり、槽本体３６の基礎板３８にビスや木ネジ等で固定されて、雨水貯留槽１２の天面を形成する板状体である（図５参照）。
【００３７】
また、図４に示す要素部材は、側板４６であり、槽本体３６の側方に嵌め込まれて、雨水貯留槽１２の側面を形成する板状体である（図５参照）。側板４６には、厚み方向に貫通する複数の小孔が形成され、これらの小孔は、雨水貯留槽１２から雨水を漏洩させるための漏洩路として機能する。
【００３８】
図２―図４に示す各要素部材３６，４４，４６を用いて、槽が組み立てられる。たとえば、図５に例示した雨水貯留槽１２では、嵌合部４０によって組み合わせた２つの槽本体３６を縦方向（雨水貯留槽１２の長手方向）に並べたものを１列として、横方向に６つの列を形成し、上下に３つの層を積層している。
【００３９】
図５において、雨水貯留槽１２の最下層の略中央の列である列４８の両側端には、側板４６の代わりに管接続板５０が嵌め込まれ、この管接続板５０に、上述した流入管２２ないし流出管２８が接続される。また、列４８には、雨水とともに流入した土砂を集積するための溝部材５２が設けられる。
【００４０】
図６に示すように、溝部材５２は、硬質塩化ビニルなどの合成樹脂からなり、底板と、底板の両端から上方向に立ち上がる側板とによって断面略Ｕ字の凹溝状に形成される。溝部材５２は、隣接する槽本体３６をまたぐように槽本体３６の基礎板３８上に配置され、流入管２２と流出管２８とに亘るように設けられる。ただし、溝部材５２は、縦方向に並べた槽本体３６の長さに応じて適宜、切断或いは図示しない連結部材によって連結することもできる。詳細な説明は省略するが、溝部材５２は、たとえば取付用の治具５４によって槽本体３６の把持部４０に固定される。なお、木ネジやビス等によって溝部材５２と槽本体３６とを固定してもよい。また、図２に示す槽本体３６では、嵌合部４０と把持部４２によって凹溝状の空間が形成されるため、列４８に溝部材５２を設けない場合もある。
【００４１】
このようにして、図５に示すような６列３層の雨水貯留槽１２が、組み立てたプラスチック製の要素部材３６，４４，４６，５０と溝部材５２とを組み合わせることによって形成できる。ただし、雨水貯留槽１２の層数や列数は任意に設定できるとともに、各要素部材の上述の大きさや形状も単なる例示であり、それらは、必要に応じて、適宜変更され得る。
【００４２】
図５に示すようにして形成した雨水貯留槽１２を図１に示すように地中に埋設し、その上流側に、流入施設１４を配置し、下流側に流出施設１６を配置する。なお、雨水貯留槽１２や点検口１８，２６やは、土中内において、それぞれ砕石基礎１５０および砂基礎１５２の上に設置され、周囲を埋め戻した土で覆われている。そして、点検口１８，２６の上端開口は地表面に臨まされる。
【００４３】
また、図１では図面の簡素化のために省略したが、雨水貯留槽１２の外周全体は、被覆部材として、たとえば第１保護シート５６と第２保護シート５８とにサンドイッチにされた遮水シート６０に被覆される。このため、雨水貯留槽１２は、雨水を一時的に内部に貯留する貯留機能と、管体を介して雨水を外部に排出する排出機能とを有する。
【００４４】
雨水は先に説明したように、流入施設１４の外部流入管２０から点検口１８および流入管２２を経て雨水貯留槽１２に流入され、雨水貯留槽１２に一時的に貯留される。そして、雨水貯留槽１２に貯留された雨水は、流出施設１４の流出管２８から点検口２６を経て、外部流出管３０から雨水管渠や合流式下水道管（図示せず）に放流される。
【００４５】
以上で、プラスチック製の要素部材を組み立てた雨水貯留槽１２を利用するこの発明の背景技術としての雨水貯留システム１０を説明した。以下に、このような背景技術を前提にして、必要に応じてそれらを援用しながら、この発明の実施例または実施形態について説明する。ただし、この発明は上述の背景技術の雨水貯留システム１０にドレン管路６４を設けたものであり、残余の部分を背景技術と同じにしても背景技術とは変更してもよいので、以下の説明では、上でした説明と重複する説明は省略する。
【００４６】
図７を参照して、この発明の一実施例の雨水貯留システム１０は、雨水貯留槽１２から流出施設１６への雨水の流出に新しい考え方を取り入れているという点で、図１の雨水貯留システム１０と異なる。上述のように、雨水貯留槽１２では、最下層の下流側端部に配置される槽本体３６に管接続板５０が嵌め込まれ、貯留した雨水を点検口２６に流出させるための流出管２８が取り付けられる。そしてさらに、雨水貯留システム１０には、雨水貯留槽１２の底部６２と、流出施設１６の点検口２６とを連通するドレン管路６４が設けられる。
【００４７】
図７−図９に示すように、ドレン管路６４は、雨水貯留槽１２の底部６２に配置されるドレンユニット６６、および当該ドレンユニット６６と流出施設１６の点検口２６とを接続するドレン接続管６８とを備える。ここで、この実施例においては、雨水は、雨水貯留槽１２からドレンユニット６６に流入し、そしてドレン接続管６８を介して、流出施設１６の点検口２６に流出するため、「上流側」が流路における雨水貯留槽１２側を意味し、「下流側」が流路における流出施設１６の点検口２６側を意味する。ただし、図面の簡素化のために、図７−図９における被覆部材（第１保護シート５６，第２保護シート５８，遮水シート６０）の図示は省略する。
【００４８】
図１０に示すように、ドレンユニット６６は、雨水の流路となる曲管７０を含み、曲管７０を埋め込んだ硬化部７２の形状を型枠７４によって定着させることによって形成される。
【００４９】
曲管７０は、硬質ポリ塩化ビニルなどの合成樹脂によって形成され、その呼び径は７５ｍｍである。曲管７０には、垂直上方向に開口する流入口８２と水平方向に開口する流出口８４とが形成され、流入口８２と流出口８４とは、それぞれ受口構造を有する。
【００５０】
具体的には、曲管７０は、曲がり継手７６の下流側端部に短管７８の一方端を接続し、その短管７８の他端に両受口継手８０を接続することによって形成される。曲がり継手７６には、９０°エルボ等を用いることができる。図１１に示すように、曲がり継手７６の上流側端部は、ドレンユニット６６の上面６６ａで垂直上方向に開口しており、ドレンユニット６６の流入口８２として機能する。また、曲がり継手７６の下流側端部には、短管７８の上流側端部が挿入されて、接着接合等される。また、短管７８の下流側端部は、両受口継手８０の上流側端部に挿入されて、接着接合等される。そして、両受口継手８０の下流側端部は、ドレンユニット６６の側面６６ｂで水平方向に開口しており、ドレンユニット６６の流出口８４として機能する。
【００５１】
上述したように、曲管７０は、硬化部７２に埋め込まれる。硬化部７２は、セメントペースト，レジコン，モルタルおよびコンクリート等のセメントを含む硬化物であり、曲管７０の強度を維持するために用いられる。図１２に示すように、硬化部７２は、ドレンユニット６６の上面６６ａを平面状に形成する。
【００５２】
また、上述したように、硬化部７２の形状は、型枠７４によって定着する。図１２に示すように、型枠７４は、たとえば半割りにした硬質ポリ塩化ビニル管等が用いられ、ドレンユニット６６の下面６６ｃを曲面状に形成する。
【００５３】
詳細は後述するが、このようなドレンユニット６６は、雨水貯留槽１２の底部６２に配置される際に、ドレンユニット用遮水シート８６によって被覆される。
【００５４】
図１３に示すように、ドレンユニット用遮水シート８６は、ドレンユニット６６の下面６６ｃに沿う下面シート８８と、ドレン管路６６の側面６６ｂに沿う側面シート９０，９２とによって形成される。
【００５５】
具体的には、下面シート８８は、ドレンユニット６６の下面６６ｃに沿わせると両側に余部分が生じるように、長手方向の長さがドレンユニット６６の下面６６ｃの弧長よりも少し長い長方形状に形成されており、その余部分が後述する遮水シート６０と融着接合をするための融着部９４として機能する。
【００５６】
側面シート９０は、半円部９０ａと当該半円部９０ａの弦側に一体的に形成される矩形部９０ｂとを含み、ドレンユニット６６の流出口８４のない側面６６ｂを覆う。半円部９０ａは、ドレンユニット６６の側面６６ｂに沿わせると外縁部に余部分が生じるように、ドレンユニット６６の側面６６ｂの形状よりも少し径が大きい半円状に形成されており、その余部分が下面シート８８に重ね合わせて融着接合をするための融着部９６として機能する。矩形部９０ｂは、たとえば長手方向の長さが半円部９０ａの弦長よりも少し長い長方形状に形成されており、後述する遮水シート６０と融着接合をするための融着部９８として機能する。
【００５７】
側面シート９２は、半円部９２ａと矩形部９２ｂとによって側面シート９０と略同形状に形成され、上述のように機能する融着部９６，９８を有し、ドレンユニット６６の流出口８４のある側面６６ｂを覆う。ただし、側面シート９２におけるドレンユニット６６の流出口８４に対応する位置には、孔１００が形成されており、その孔１００を介してドレンユニット６６とドレン接続管６８とを接続する。
【００５８】
また、上述したように、ドレン接続管６８は、ドレンユニット６６と流出施設１６の点検口２６とを接続する。ドレン接続管６８は、硬質ポリ塩化ビニルなどの合成樹脂によって、ドレンユニット６６の流出口８４とほぼ同径に形成され、その上流側端部は、ドレンユニット６６の流出口８４すなわち両受口継手８０の下流側端部に挿入されて、接着接合等される。また、ドレン接続管６８の下流側端部は、点検口２６の内部で開口する。ただし、詳細は後述するが、ドレン接続管６８は、ドレンユニット６６と点検口２６との距離に応じて、継手等によって継ぎ足すこともできる。
【００５９】
図１４および図１５を参照して、このようなドレン管路６４を備える雨水貯留システム１０を設ける方法を以下に示す。
【００６０】
先ず、雨水貯留システム１０の形状や大きさに合わせて地面を掘削して、その掘削した地面上に砕石基礎１５０を設ける。砕石基礎１５０の厚みは、たとえば１５０ｍｍである。そして、砕石基礎１５０の上に砂基礎１５２を積層する。砂基礎１５２の厚みは、たとえば５０ｍｍである。なお、ドレン管路６４を設ける箇所については、予め、ドレンユニット６６の形状や大きさに合わせて、地面を他よりも少し深く掘削しておき、その上に砕石基礎１５０および砂基礎１５２を設ける（図７参照）。
【００６１】
続いて、砂基礎１５２の上に、第１保護シート５６を敷設する。詳細は後述するが、第１保護シート５６は、雨水貯留槽１２の外周全体を被覆するために用いるため、雨水貯留槽１２に対応した大きさを有している。また、図１４に示すように、第１保護シート５６には、ドレンユニット６６の流出口８４すなわちドレン接続管６８とほぼ同径の孔１０２が形成されており、その孔１０２を介してドレンユニット６６とドレン接続管６８とを接続する。
【００６２】
次に、上述したようなドレンユニット用遮水シート８６によってドレンユニット６６の側面６６ｂと下面６６ｃとを被覆する（図１３参照）。具体的には、先ず、ドレンユニット６６の下面６６ｃに下面シート８８を沿わせる。そして、側面シート９０，９２の半円部９０ａ，９２ａをそれぞれドレンユニット６６の側面６６ｂに沿わせ、それぞれの融着部９６をドレンユニット６６の下面６６ｃ側に折り、融着部９６と下面シート８８とを融着接合する。ただし、予め、ドレンユニット６６の側面６６ｂと下面６６ｃとを被覆できるドレンユニット用遮水シート８６を加工しておいてもよい。
【００６３】
続いて、ドレンユニット用遮水シート８６によって被覆したドレンユニット６６を第１保護シート５６の上の所定の箇所に配置して、ドレンユニット６６にドレン接続管６８を接続する。
【００６４】
具体的には、ドレン接続管６８を、第１保護シート５６の孔１０２とドレンユニット用遮水シート８６の孔１００とに挿通させて、ドレンユニット６８の流出口８４に挿入して接着接合等する。ただし、先ず、短いドレン接続管６８をドレンユニット６６に接続しておき、その後、流出施設１６を設ける際に、ドレンユニット６６と点検口２６との距離に応じて、図示しない継手によってドレン接続管６８を継ぎ足してもよい。
【００６５】
次に、図１４に示すように、第１保護シート５６ないしドレンユニット６６の上に遮水シート６０を敷設する。遮水シート６０には、ドレンユニット６６の上面６６ａと略等しい形状を有する孔１０４が形成されており、その孔１０４を介して雨水貯留槽１２の底部６２からドレンユニット６６に雨水が流入する。遮水シート６０を第１保護シート５６の上に敷設する際には、孔１０４の位置をドレンユニット６６の上面６６ａの位置に合わせて、遮水シート６０とドレンユニット用遮水シート８６の融着部９４，１００とが重なり合う箇所を融着接合する。
【００６６】
続いて、遮水シート６０の上に、第２保護シート５８を敷設する。第２保護シート５８には、たとえばドレンユニット６６の流入口８２とほぼ同径で同形状の孔１０６が形成されており、その孔１０６を介して雨水貯留槽１２の底部６２からドレンユニット６６に雨水が流入する。第２保護シート５８を遮水シート６０の上に敷設する際には、孔１０６の位置をドレンユニット６６の流入口８２の位置に合わせる。
【００６７】
そして、図５に示すような雨水貯留槽１２を第２保護シート５８の上に形成する。具体的には、図１５に示すように、雨水貯留槽１２の底部６２、この実施例では雨水貯留槽１２の下流側端部の下面との位置と、第２保護シート５８の孔１０６の位置すなわちドレンユニット６６の流入口８２の位置とを合わせて、第２保護シート５８の上に雨水貯留槽１２を形成する。
【００６８】
次に、雨水貯留槽１２の上流側に、流入施設１４を設けて、雨水貯留槽１２の下流側に流出施設１６を設ける。ただし、流入施設１４ないし流出施設１６の設置作業は、雨水貯留槽１２の設置後に限定される必要はなく、少なくとも砂基礎１５２を設けた後であれば任意の時に行うことができ、また、他の作業と並行して行ってもよい。
【００６９】
そして、流入管２２および流出管２８をそれぞれ管接続板５０を介して雨水貯留槽１２に取り付けるとともに、ドレンユニット６６から延びるドレン接続管６８を流出施設１６の点検口２６に取り付ける。
【００７０】
続いて、被覆部材（第１保護シート５６，遮水シート６０，第２保護シート５８）によって、雨水貯留槽１２を被覆する。ここで、この実施例では、雨水貯留システム１０に貯留機能と排出機能のみを持たせるように意図しているため、被覆部材５６，５８，６０によって雨水貯留槽１２の外周全体を被覆する。具体的には、先ず、遮水シート６０と第２保護シート５８とによって雨水貯留槽１２の外周全体を被覆して、その後、第１保護シート５６によって雨水貯留槽１２とドレンユニット６６とを抱き合わせるように全体を覆う。
【００７１】
そして最後に、周囲を埋め戻して雨水貯留槽１２、流入施設１４および流出施設１６を地中に埋設して、作業を終了する（図７参照）。
【００７２】
このような雨水貯留システム１０によれば、雨水は、流入施設１４の外部流入管２０から点検口２２および流入管２４を介して雨水貯留槽１２に流入され、雨水貯留槽１２に一時的に貯留される。そして、雨水貯留槽１２に貯留された雨水は、流出管２８を介して点検口２６に流出するとともに、雨水貯留槽１２の底部６２から孔１０４，１０６を介してドレンユニット６６に流入し、ドレンユニット６６からドレン接続管６８を介して点検口２６に流出する。すなわち、流出管２８の管底よりも水位が低い雨水であって、流出管２８から流出することができなかった雨水貯留槽１２内の雨水も、雨水貯留槽１２の底部６２からドレン管路６４を介して点検口２６に流出させることができる。そして、点検口２６に流入した雨水は、外部流出管３０から雨水管渠や合流式下水道管（図示せず）に放流される。このように、雨水貯留システム１０では、雨水貯留槽１２内の雨水を全て流出させることができる。
【００７３】
また、ドレン管路６４は、雨水貯留槽１２の全長に亘る必要がなく、少なくとも雨水貯留槽１２の底部６２と流出施設１６の点検口２６とを連通できるサイズに形成すればよい。したがって、たとえば雨水貯留槽１２の下方に特許文献１のような汚水ピットを設ける場合と比較して、掘削の範囲が小さく、施工にも手間がかからない。
【００７４】
さらに、たとえば、雨水貯留槽１２の底部６２と点検口２６とを雨水の流路となる管によってそのまま接続すると、その管が土被りや雨水貯留槽１２の荷重によって破損し、管から漏水が生じる危険性がある。しかしながら、この実施例では、ドレンユニット６６は、雨水の流路となる曲管７０を圧縮強度の高い硬化部７２に埋め込むことによって形成されるため、土被りや雨水貯留槽１２の荷重による曲管７０の破損、およびそれに起因する漏水を回避することができる。
【００７５】
また、この実施例では、ドレンユニット６６は、その上面６６ａが平面状に形成されるとともに、その下面６６ｃが曲面状に形成される。このため、ドレンユニット６６の上面６６ａと雨水貯留槽１２の下面とを面合わせすることができる。したがって、雨水貯留槽１２の底部６２からの雨水を、漏れなくドレン管路６４に流入させることができる。また、ドレンユニット６６の下面６６ｃが、曲面状に形成されることにより、被覆部材５６，５８，６０の施工が容易であるとともに、隅角による被覆部材５６，５８，６０の破損を回避することができる。
【００７６】
さらに、この実施例では、ドレン管路６４は、雨水貯留槽１２ではなく、被覆部材（遮水シート６０）に接続される。このため、雨水貯留槽１２内の雨水だけではなく、雨水貯留槽１２の外部の雨水も、被覆部材（遮水シート６０）の内側であればドレン管路６４に流入させることができる。また、ドレン管路６４の施工と雨水貯留槽１２の組み立てとを独立して行うことができるため、雨水貯留システム１０を設ける際の工程に制約が少ない。
【００７７】
さらにまた、この実施例では、ドレンユニット６６が雨水貯留槽１２の底部６２として、雨水貯留槽１２の下流側端部の下面に配置される。ここで、雨水貯留槽１２の下流側端部は、流入管２２の反対側に位置しているため、土砂等の堆積物が最も少ない位置であると想定される。このため、土砂等の堆積物がドレンユニット６６内に流入することによる、ドレンユニット６６ないしドレン接続管６８の閉塞を可及的回避することができる。また、もし土砂等によってドレンユニット６６ないしドレン接続管６８が閉塞しても、流出施設１６の近傍であるため、点検口２６からホース等によって吸引すれば土砂等を除去することができる。したがって、維持管理が容易である。
【００７８】
なお、上述の実施例では、遮水シート６０には、ドレンユニット６６の上面６６ａと略等しい形状を有する孔１０４が形成されたが、これに限定される必要はなく、孔１０４は、少なくともドレンユニット６６の流入口８２より大きい形状であればよい。ただし、孔１０４とドレンユニット６６の上面６６ａとが同じ形状であれば、遮水シート６０とドレンユニット用遮水シート８６とが融着接合しやすいので、好適である。同様に、第２保護シートには、ドレンユニット６６の流入口８２とほぼ同径で同形状の孔１０６が形成されたが、これに限定される必要はなく、孔１０６は、少なくともドレンユニット６６の流入口８２より大きい形状であればよい。
【００７９】
また、この実施例では、雨水貯留槽を被覆する被覆部材として、第１保護シート５６と第２保護シート５８とにサンドイッチにされた遮水シート６０で雨水貯留槽１２の外周全体を被覆したが、これに限定される必要はなく、必要に応じて任意の被覆部材によって雨水貯留槽を被覆することができる。
【００８０】
たとえば、外周の下部（上下方向の中央よりも下の部分の側面の全部と底面）を第１保護シート５６と第２保護シート５８とにサンドイッチにされた遮水シート６０で覆い、雨水貯留槽１２の外周の残りの部分（上下方向の中央よりも上の部分の側面と天面）を浸透シートで覆うこともできる。また、雨水貯留槽１２の外周の全体を浸透シートで覆うこともできる。この場合には、雨水貯留槽１２は、貯留機能と排出機能とに加え、雨水貯留槽に貯留された雨水を周辺の地中に浸透させる浸透機能が付加される。以下、「貯留機能と排出機能」か「貯留機能と排出機能と浸透機能」かを区別する必要がないときには、この明細書では、両者を包含する意味で、雨水貯留システム１０または雨水貯留槽１２と呼ぶことにする。
【００８１】
図１６および図１７に示すこの発明の他の実施例である雨水貯留システム１０では、ドレンユニット６４の流入口８２に第１遮水部材１０８が設けられる。以下、図７に示す雨水貯留システム１０と同様である部分に関しては、詳細な説明は省略する。なお、図面の簡素化のために、図１６における被覆部材（第１保護シート５６，遮水シート６０，第２保護シート５８）の図示は省略する。
【００８２】
図１６に示すように、第１遮水部材１０８は、塩化ビニルなどの合成樹脂によって形成され、ドレンユニット６６の流入口８２に設けられる。
【００８３】
第１遮水部材１０８は、矩形のシート状に形成される固定部１１０を含む。固定部１１０には、ドレンユニット６６の流入口８２とほぼ同径で同形状の孔１１２が形成されており、その孔１１２を介して雨水貯留槽１２の底部６２からドレンユニット６６に雨水が流入する。そして、その孔１１２を囲むように、接続部１１４が下方向に突出する。
【００８４】
接続部１１４は、ドレンユニット６６の流入口８２すなわち曲がり継手７６の上流側端部の外径と略等しい内径を有する円筒状に形成され、曲がり継手７６の上流側端部の外周面と硬化部７２とに挟まれるように硬化部７２に埋め込まれて、曲管７０に接続される。
【００８５】
図１７を参照して、このようなドレン管路６４を備える雨水貯留システム１０を地中に設置する方法を以下に示す。
【００８６】
先ず、雨水貯留システム１０の形状や大きさに合わせて地面を掘削する。そして、その掘削した地面上に砕石基礎１５０を設け、その上に砂基礎１５２を設ける。なお、ドレン管路６４を配置する箇所については、予め、ドレンユニット６６の形状や大きさに合わせて、地面を他よりも少し深く掘削しておき、その上に砕石基礎１５０および砂基礎１５２を設ける。
【００８７】
次に、砂基礎１５２の上の所定の箇所に、第１遮水部材１０８が取り付けられたドレンユニット６６を配置する。続いて、ドレンユニット６６とドレン接続管６８とを接続する。
【００８８】
続いて、砂基礎１５０ないしドレンユニット６６の上面６６ａに、第１保護シート５６を敷設する。図１７に示すように、第１保護シート５６には、第１遮水部材１０８の固定部１１０とほぼ同形状の孔１１６が形成されており、その孔１１６に固定部１１０を挿通させて、第１保護シート５６をドレンユニット６６の上面６６ａに沿わせる。
【００８９】
次に、第１保護シート５６ないし第１遮水部材１０８の上に遮水シート６０を敷設する。遮水シート６０には、第１遮水部材１０８の孔１１２とほぼ同径で同形状の孔１１８が形成されており、その孔１１８を介して雨水貯留槽１２の底部６２からドレンユニット６６に雨水が流入する。遮水シート６０を第１保護シート５６の上に敷設する際には、遮水シート６０の孔１１８の位置と第１遮水部材１０８の孔１１２の位置とを合わせて、遮水シート６０と第１遮水部材１０８とが重なり合う箇所を融着接合する。
【００９０】
続いて、遮水シート６０の上に、第２保護シート５８を敷設する。第２保護シート５８には、遮水シート６０の孔１１８とほぼ同径で同形状の孔１２０が形成されており、その孔１２０を介して雨水貯留槽１２の底部６２からドレンユニット６６に雨水が流入する。第２保護シート５８を遮水シート６０の上に敷設する際は、孔１２０の位置と遮水シート６０の孔１１８の位置とを合わせる。
【００９１】
そして、雨水貯留槽１２の底部６２を、第２保護シート５８の孔１２０の位置すなわちドレンユニット６６の流入口８２の位置に合わせて、第２保護シート５８の上に雨水貯留槽１２を形成する。
【００９２】
そして、雨水貯留槽１２の上流側に、流入施設１４を設けて、雨水貯留槽１２の下流側に流出施設１６を設ける。続いて、流入管２２および流出管２８をそれぞれ管接続板５０を介して雨水貯留槽１２に取り付けるとともに、ドレンユニット６６から延びるドレン接続管６８を流出施設１６の点検口２６に取り付ける。
【００９３】
次に、被覆部材（第１保護シート５６，遮水シート６０，第２保護シート５８）によって、雨水貯留槽１２を被覆し、最後に、周囲を埋め戻して雨水貯留槽１２、流入施設１４および流出施設１６を地中に埋設して、作業を終了する（図７参照）。
【００９４】
このように、この実施例では、ドレンユニット６６の流入口８２に第１遮水部材１０８が設けられる。このため、第１遮水部材１０８を遮水シート６０と融着接合するとともに、曲管７０に接続することで、雨水貯留槽１２からの雨水を全てドレンユニット６６の流入口８２に流入させることができる。したがって、ドレンユニット６６の形状に合わせたドレンユニット用遮水シート８６の加工が不要であり、作業時間を短縮することができる。
【００９５】
図１８および図１９に示すこの発明の他の実施例である雨水貯留システム１０では、ドレンユニット６６の流入口８２に第２遮水部材１２４が設けられる。以下、図７に示す雨水貯留システム１０と同様である部分に関しては、詳細な説明は省略する。なお、図面の簡素化のために、図１８における被覆部材（第１保護シート５６，遮水シート６０，第２保護シート５８）の図示は省略する。
【００９６】
図１８に示すように、曲管７０は、ゴム輪継手１２２をさらに含み、ゴム輪継手１２２の下流側端部に曲がり継手７６の上流側端部を接続し、曲がり継手７６の下流側端部に短管７８の一方端を接続し、その短管の他端に両受口継手８０を接続することによって形成される。
【００９７】
具体的には、ゴム輪継手１２２は、硬質ポリ塩化ビニルなどの合成樹脂によって形成され、その上流側端部がゴム輪受口構造を有する。ゴム輪継手１２２の上流側端部は、ドレンユニット６６の上面６６ａで垂直上方向に開口しており、ドレンユニット６６の流入口８２として機能する。また、ゴム輪継手１２２の下流側端部は、差口構造を有し、曲がり継手７６の上流側端部に挿入されて、接着接合等される。
【００９８】
また、ドレン管路６４は、第２遮水部材１２４を備える。第２遮水部材１２４は、塩化ビニルなどの合成樹脂からなり、矩形の板状に形成される固定部１２６を含む。固定部１２６には、ドレンユニット６６の流入口８２とほぼ同径で同形状の孔１２８が形成されており、その孔１２８を介して雨水貯留槽１２の底部６２からドレンユニット６６に雨水が流入する。そして、その孔１２８を囲むように、接続部１３０が下方向に突出する。
【００９９】
接続部１３０は、ドレンユニット６６の流入口８２すなわちゴム輪継手１２２の上流側端部の内径と略等しい外径を有する円筒状に形成され、ゴム輪継手１２２の上流側端部に挿入されて、ゴム輪接合される。
【０１００】
図１９を参照して、このようなドレン管路６２を備える雨水貯留システム１０を地中に設置する方法を以下に示す。
【０１０１】
先ず、雨水貯留システム１０の形状や大きさに合わせて地面を掘削する。そして、その掘削した地面上に砕石基礎１５０を設け、その上に砂基礎１５２を設ける。なお、ドレン管路６４を配置する箇所については、予め、ドレンユニット６６の形状や大きさに合わせて、地面を他よりも少し深く掘削しておき、その上に砕石基礎１５０および砂基礎１５２を設ける。
【０１０２】
次に、砂基礎１５２の上の所定の箇所に、ドレンユニット６６を配置して、ドレンユニット６６とドレン接続管６８とを接続する。
【０１０３】
続いて、図１９に示すように、砂基礎１５２ないしドレンユニット６６の上面６６ａの上に、第１保護シート５６を敷設する。第１保護シート５６には、ドレンユニット６６の流入口８２とほぼ同径で同形状の孔１３２が形成されており、その孔１３２を介して雨水貯留槽１２の底部６２からドレンユニット６６に雨水が流入する。第１保護シート５６を砂基礎１５２ないしドレンユニット６６の上面６６ａの上に敷設する際には、孔１３２の位置とドレンユニット６６の流入口８２の位置とを合わせる。
【０１０４】
次に、第１保護シート５６の上に遮水シート６０を敷設する。遮水シート６０には、ドレンユニット６６の流入口８２すなわち第２遮水部材１２４の孔１３０とほぼ同径で同形状の孔１３４が形成されており、その孔１３４を介して雨水貯留槽１２の底部６２からドレンユニット６６に雨水が流入する。遮水シート６０を第１保護シート５６の上に敷設する際には、遮水シート６０の孔１３４の位置と第１保護シート５６の孔１３２の位置とを合わせる。
【０１０５】
続いて、遮水シート６０の上に、第２保護シート５８を敷設する。第２保護シート５８には孔１３６が形成されており、その孔１３６を介して雨水貯留槽１２の底部６２からドレンユニット６６に雨水が流入する。なお、孔１３６は、遮水シート６０と遮水部材１２４の固定部１２６とが融着接合しやすいように、孔１３４よりもやや大きい形状に形成すると好適である。第２保護シート５８を遮水シート６０の上に敷設する際には、第２保護シート５８の孔１３６の位置と遮水シート６０の孔１３４の位置とを合わせる。
【０１０６】
次に、第２遮水部材１２４をドレンユニット６６の流入口８２に取り付ける。第２遮水部材１２４をドレンユニット６６に取り付ける際は、接続部１３０をドレンユニット６６の流入口８２すなわちゴム輪継手１２２の上流側端部に挿入して、ゴム輪接合する。そして、第２遮水部材１２４の固定部１２６と遮水シート６０とが重なる箇所を融着接合する。
【０１０７】
続いて、雨水貯留槽１２の底部６２を、第２遮水部材１２４の孔１２８の位置すなわちドレンユニット６６の流入口８２の位置に合わせて、固定部１２６と雨水貯留槽１２の底部６２とをビスや木ネジ等によって固定する。
【０１０８】
そして、雨水貯留槽１２の上流側に、流入施設１４を設けて、雨水貯留槽１２の下流側に流出施設１６を設ける。続いて、流入管２２および流出管２８をそれぞれ管接続板５０を介して雨水貯留槽１２に取り付けるとともに、ドレンユニット６６から延びるドレン接続管６８を流出施設１６の点検口２６に取り付ける。
【０１０９】
次に、被覆部材（第１保護シート５６，遮水シート６０，第２保護シート５８）によって、雨水貯留槽１２を被覆し、最後に、周囲を埋め戻して雨水貯留槽１２、流入施設１４および流出施設１６を地中に埋設して、作業を終了する（図７参照）。
【０１１０】
このように、この実施例では、ドレンユニット６６の流入口８２に第１遮水部材１０８が設けられる。このため、第１遮水部材１０８と遮水シート６０とを融着接合することで、雨水貯留槽１２からの雨水を全てドレンユニット６６の流入口８２に流入させることができる。したがって、ドレンユニット６６の形状に合わせたドレンユニット用遮水シート８６の加工が不要である。
【０１１１】
このように、この実施例では、ドレンユニット６６の流入口８２に第２遮水部材１２４が設けられる。また、第２遮水部材１２４は、雨水貯留槽１２の底部６２に固定され、さらにドレンユニット６６とゴム輪接合される。このため、地震による地盤変動などが生じても、ゴム輪によって衝撃が緩和されて、雨水貯留槽１２の底部６２に配置されたドレンユニット６６の位置を維持することができる。したがって、雨水貯留槽１２の底部６２とドレンユニット６６との隙間からの漏水などを回避することができる。
【０１１２】
また、この実施例では、第２遮水部材１２４を雨水貯留槽１２の底部６２に固定して、さらにドレンユニット６６とゴム輪接合すれば、雨水貯留槽１２からの雨水を全てドレンユニット６６の流入口８２に流入させることができる。したがって、ドレンユニット６６の形状に合わせたドレンユニット用遮水シート８６の加工や、第１遮水部材１０８と遮水シート６０との融着接合が不要であり、作業時間を短縮することができる。
【０１１３】
なお、上述の各実施例ではいずれも、１つのドレン管路６４によって、雨水貯留槽１２の底部６２と流出施設の点検口２６とを連通したが、これに限定される必要はない。たとえば、ドレン管路６４の口径が雨水貯留槽１２からの流量に対して不足するようであれば、複数のドレン管路６４によって、雨水貯留槽１２の底部６２と流出施設の点検口２６とを連通することもできる。
【０１１４】
また、上述の各実施例ではいずれも、雨水貯留槽１２の底部６２として、雨水貯留槽１２の下流側端部の下面にドレン管路６４を設けたが、これに限定される必要はない。たとえば、雨水貯留槽１２の下面ではなく側面であっても、流出管２８の管底よりも下の位置であれば、任意の位置に設けることができる。また、雨水貯留システム１０を形成する地面ないし砕石基礎１５０や砂基礎１５２に微量の勾配がある場合には、雨水貯留槽１２の下面ないし側面の最も低位置となる箇所にドレンユニット６６を設けると好適である。
【０１１５】
さらに、上述の各実施例ではいずれも、曲管７０は、複数の管ならびに継手を接続することによって形成されたが、これに限定される必要はない。たとえば、垂直上方向に開口する流入口８２と水平方向に開口する流出口８４とを有しているのであれば、両端部が受口構造である１つの管体によって曲管７０を形成することもできる。
【０１１６】
さらに、上述の各実施例ではいずれも、雨水貯留槽１２の内部の雨水は、流出管２８ないしドレン管路６４によって点検口２６に流出され、点検口２６から外部流出管３０を介して雨水管渠や合流式下水道管（図示せず）に放流されたが、これに限定される必要はない。たとえば、流出管２８ないしドレン管路６４から、直接雨水管渠や合流式下水道管（図示せず）に放流してもよい。
【０１１７】
また、上述の各実施例ではいずれも、曲管７０をモルタル等の硬化部７２に埋め込んだが、これに限定される必要はなく、たとえばウレタン樹脂やシリコーン樹脂等の合成樹脂に埋め込んでもよい。
【０１１８】
さらにまた、上述の各実施例ではいずれも、型枠７４として、半割りにした硬質ポリ塩化ビニル管等の半円筒体が用いられたが、これに限定される必要はなく、たとえばＵ字状の鉄筋コンクリート等を型枠７４として用いることもできる。
【０１１９】
さらに、上述の各実施例ではいずれも、プラスチック製の要素部材３６，４４，４６，５０を組み立てることによって雨水貯留槽１２を形成したが、これに限定される必要はない。たとえば、セメントペースト、レジコン，モルタルおよびコンクリート等のセメント製の要素部材によって雨水貯留槽１２を形成してもよい。
【０１２０】
なお、上述した径や高さ等の具体的数値は、いずれも単なる一例であり、必要に応じて適宜変更可能である。
【図面の簡単な説明】
【０１２１】
【図１】この発明の背景となる雨水貯留システムの縦断面構造の一例を示す図解図である。
【図２】図１の雨水貯留槽に用いる要素部材としての槽本体を示す斜視図である。
【図３】図１の雨水貯留槽に用いる要素部材としての天板を示す斜視図である。
【図４】図１の雨水貯留槽に用いる要素部材としての側板を示す斜視図である。
【図５】図２−図４に示す要素部材を使って組み立てた雨水貯留槽の一例を示す図解図である。
【図６】図５の雨水貯留槽において槽本体に溝部材を取り付ける構造の一例を示す図解図である。
【図７】この発明の一実施例の雨水貯留システムの縦断面構造を示す図解図である。
【図８】図７の雨水貯留システムの平面構造を示す図解図である。
【図９】図７の雨水貯留システムの平面構造を示す図解図である。
【図１０】図７の雨水貯留システムに用いられるドレン管路の縦断面構造を示す図解図である。
【図１１】図１０のドレン管路のドレンユニットを示す図解図である。
【図１２】図１０のドレン管路のドレンユニットを示す平面図である。
【図１３】図１０のドレンユニットを被覆するドレンユニット用遮水シートの構造の一例を示す図解図である。
【図１４】図１０に示すドレンユニットと第１保護シートと遮水シートと第２保護シートとの位置関係を示す図解図である。
【図１５】図１０に示すドレン管路を雨水貯留槽の底部に配置した様子を示す図解図である。
【図１６】図１０に示すドレン管路の変形実施例の縦断面構造を示す図解図である。
【図１７】図１６に示すドレン管路を雨水貯留槽の底部に配置した様子を示す図解図である。
【図１８】図１０に示すドレン管路の変形実施例の縦断面構造を示す図解図である。
【図１９】図１６に示すドレン管路を雨水貯留槽の底部に配置した様子を示す図解図である。
【符号の説明】
【０１２２】
１０  …雨水貯留システム
１２  …雨水貯留槽
１６  …流出施設
２６  …点検口
２８  …流出管
６４  …ドレン管路
６６  …ドレンユニット
６８  …ドレン接続管
７０  …曲管
７２  …硬化部
７４  …型枠
１０８  …第１遮水部材
１２４  …第２遮水部材
【図１】
0004993502.tif 000002
【図２】
0004993502.tif 000003
【図３】
0004993502.tif 000004
【図４】
0004993502.tif 000005
【図５】
0004993502.tif 000006
【図６】
0004993502.tif 000007
【図７】
0004993502.tif 000008
【図８】
0004993502.tif 000009
【図９】
0004993502.tif 000010
【図１０】
0004993502.tif 000011
【図１１】
0004993502.tif 000012
【図１２】
0004993502.tif 000013
【図１３】
0004993502.tif 000014
【図１４】
0004993502.tif 000015
【図１５】
0004993502.tif 000016
【図１６】
0004993502.tif 000017
【図１７】
0004993502.tif 000018
【図１８】
0004993502.tif 000019
【図１９】
0004993502.tif 000020